(57)【要約】  ダニ、蟻、ゴキブリなどの這って移動する匍匐害虫に対して、揮散した薬剤成分を効果的に放出、拡散して防除することができる害虫防除用揮散性薬剤容器を提供する。  揮散性薬剤５を収容すると共に、揮散性薬剤５から揮散する薬剤成分を外部に放出するための揮散口１４を有する害虫防除用揮散性薬剤容器１であり、揮散口１４が、容器の真上から見た際に隠れる位置に設けられ得る構成を有している。
2009047978.tif 000002
【特許請求の範囲】
【請求項１】
揮散性薬剤を収納すると共に、当該揮散性薬剤から揮散する薬剤成分を外部に放出するための揮散口を有する害虫防除用揮散性薬剤容器であって、
前記揮散口が、容器の真上から見た際に隠れる位置に設けられ得る構成を有していることを特徴とする害虫防除用揮散性薬剤容器。
【請求項２】
前記揮散口が、容器の設置時、前記薬剤成分を容器本体の上方以外に揮散し得るように設けられている
ことを特徴とする請求項１に記載の害虫防除用揮散性薬剤容器。
【請求項３】
前記揮散口が容器本体の側壁となる面に設けられ、且つ少なくとも前記揮散口の一部が前記害虫防除用揮散性薬剤容器の高さの５０％以下の範囲に設けられている
ことを特徴とする請求項２に記載の害虫防除用揮散性薬剤容器。
【請求項４】
前記揮散口は、前記害虫防除用揮散性薬剤容器の高さの５０％以下の範囲に、前記揮散口の総面積の少なくとも５０％が設けられる
ことを特徴とする請求項３に記載の害虫防除用揮散性薬剤容器。
【請求項５】
前記揮散口は、前記害虫防除用揮散性薬剤容器の底面から５ｃｍ以下の高さに、前記揮散口の最低位置が設けられている
ことを特徴とする請求項１、３又は４に記載の害虫防除用揮散性薬剤容器。
【請求項６】
前記揮散性薬剤は、植物精油類、或いは、植物精油類の成分である
ことを特徴とする請求項１〜５のいずれか１つに記載の害虫防除用揮散性薬剤容器。
【発明の詳細な説明】
【技術分野】
【０００１】
本発明は、害虫防除用揮散性薬剤容器に関し、より詳細には、害虫、特に這って移動する匍匐害虫を防除するための、揮散性薬剤を収容して揮散させる害虫防除用揮散性薬剤容器に関する。
【背景技術】
【０００２】
従来の害虫防除具としては、容器内に収容した、或いは、担体に含浸させた害虫防除用薬剤から薬剤成分を揮散させて、蚊などの飛翔害虫を防除するようにしたものが知られている。このような害虫防除具は、薬剤成分を容器の周囲に広く拡散させて害虫を防除するようにしたものであり、飛翔害虫に対しては有効であるが、ダニ、蟻、ゴキブリなどの這って移動する匍匐害虫に対しては必ずしも効果的ではなかった。【０００３】
匍匐害虫であるダニを忌避することも可能な薬剤揮散器としては、薬剤容器に充填した液状組成物を吸液芯で吸い上げ、蒸発部から揮散させるようにした薬剤揮散器が開示されている（例えば、特許文献１参照。）。【０００４】
【特許文献１】特開２００７−６８８４６号公報
【発明の開示】
【発明が解決しようとする課題】
【０００５】
しかし、特許文献１に開示されている薬剤揮散器は、薬剤揮散器が倒れた場合に、薬剤容器に充填された液状組成物の液漏れを生じ難くしたものであって、匍匐害虫に対して効果的に薬剤成分を揮散させることについては不十分であり、改良の余地があった。【０００６】
本発明は、前述した課題に鑑みてなされたものであり、その目的は、ダニ、蟻、ゴキブリなどの這って移動する匍匐害虫に対して、揮散した薬剤成分を効果的に放出、拡散することができる害虫防除用揮散性薬剤容器を提供することにある。
【課題を解決するための手段】
【０００７】
本発明の上記目的は、下記の構成により達成される。
（１）  揮散性薬剤を収納すると共に、当該揮散性薬剤から揮散する薬剤成分を外部に放出するための揮散口を有する害虫防除用揮散性薬剤容器であって、
前記揮散口が、容器の真上から見た際に隠れる位置に設けられ得る構成を有していることを特徴とする害虫防除用揮散性薬剤容器。
（２）  前記揮散口が、容器の設置時、前記薬剤成分を容器本体の上方以外に揮散し得るように設けられている
ことを特徴とする上記（１）の害虫防除用揮散性薬剤容器。
（３）  前記揮散口が容器本体の側壁となる面に設けられ、且つ少なくとも前記揮散口の一部が前記害虫防除用揮散性薬剤容器の高さの５０％以下の範囲に設けられている
ことを特徴とする上記（２）の害虫防除用揮散性薬剤容器。
（４）  前記揮散口は、前記害虫防除用揮散性薬剤容器の高さの５０％以下の範囲に、前記揮散口の総面積の少なくとも５０％が設けられる
ことを特徴とする上記（３）の害虫防除用揮散性薬剤容器。
（５）  前記揮散口は、前記害虫防除用揮散性薬剤容器の底面から５ｃｍ以下の高さに、前記揮散口の最低位置が設けられている
ことを特徴とする上記（１）、（３）又は（４）の害虫防除用揮散性薬剤容器。
（６）  前記揮散性薬剤は、植物精油類、或いは、植物精油類の成分であることを特徴とする上記（１）〜（５）のいずれか１つの害虫防除用揮散性薬剤容器。【０００８】
害虫防除用揮散性薬剤容器の全体又はその一部を形成する素材としては、例えば、ポリエチレン（ＰＥ）、ポリプロピレン（ＰＰ）、ポリエチレンテレフタレート（ＰＥＴ）などの樹脂や、紙、金属等を使用することができるが、特に本発明の実施を妨げない限り、これらに限定されない。【０００９】
そして、害虫防除用揮散性薬剤容器の取扱いの容易性を考慮すると、その容器の高さは２０ｃｍ以下が好ましく、さらには１〜１０ｃｍとするのがより好ましい。また、その容器の横幅は２〜４０ｃｍが好ましく、さらには４〜２０ｃｍとするのがより好ましい。このとき、揮散性薬剤を効果的に揮散させるため揮散口の総面積は５〜２００ｃｍ２とするのが好ましく、１０〜１００ｃｍ２がさらに好ましい。また、揮散性薬剤を収容するための容器容量としては、１０〜１０００ｍｌとするのが好ましく、さらには２０〜５００ｍｌが好ましい。【００１０】
揮散性薬剤は、薬剤成分を液状、ゲル状、固定状としたもの、または、該薬剤成分を担体に含浸させたものを用いることが好ましいが、液状であっても容器本体又は薬剤を保持させる容器からこぼれない限り使用できる。
本発明に用いる害虫防除用の揮散性薬剤成分としては、例えば殺虫剤、防虫剤、害虫忌避剤、吸血阻害剤等を挙げることができる。具体的には、ローズマリー油、ペニーロイヤル油、レモングラス油、オレンジ油、カシア油、ゼラニウム油、タイムホワイト油、ハッカ油、ヒバ油、ピメント油、フェンネル油、ペパーミント油、ベルガモット油、ラベンダー油、ルー油、ユーカリ油等の植物精油類の１種又は２種以上を組合わせて用いることができ、これらは上記用途の他に芳香、消臭効果を付与することもできる。この他にも、上記植物精油類の成分として含有されているリモネン、ピネン、カルボン、シトロネラール、リナロール、シトラール、ゲラニオール、オイゲノール、メントール等のテルペン類の１種又は２種以上を組合わせて用いてもよい。また、薬剤成分はこれらに限定されず、常温で揮散しうる各種薬剤を用いることができ、例えば、エムペントリン、メトフルトリン、プロフルトリン、トランスフルトリン等のピレスロイド系化合物を用いてもよい。【００１１】
また、揮散性薬剤には、必要に応じて、ゲル化剤（例えば、寒天、カラギナーン、ジェランガム、キサンタンガム、グアーガム、ローカストビーンガム等）、溶剤（例えば、水、低級アルコール、多価アルコール等）、界面活性剤（例えば、ＰＯＥ硬化ヒマシ油、ＰＯＥアルキルエーテル、ＰＯＥ・ＰＯＰブロックポリマー等の非イオン系、脂肪族カルボン酸塩、ジアルキル硫酸塩、アルキルリン酸塩等の陰イオン系、アルキルアミン塩、第四級アンモニウム塩等の陽イオン系、アルキルベタイン等の両性系、アミノ酸系、等の各種界面活性剤）、防腐剤（例えば、パラベン、ビオサイド（商品名）等）、酸化防止剤（例えば、ＢＨＴ、ＢＨＡ、ポリフェノール、ルテイン、ビタミンＣ、ビタミンＥ等）、着色剤（例えば、黄色、青色、赤色、緑色、紫色、橙色等）、消臭剤（例えば、ヨモギエキス、緑茶エキス等）、抗菌剤（例えば、柿抽出物、竹抽出物等）、香料、湿潤剤、溶剤助剤、ゲル化助剤、紫外線吸収剤、消泡剤等を配合してもよい。【００１２】
本発明で防除対象とする匍匐害虫とは、室内で見られる這う害虫を表し、例えば昆虫綱膜翅目（ハチ目）のアリなど、隠翅目（ノミ目）のノミなど、網翅目（ゴキブリ目）のゴキブリなど、等翅目（シロアリ目）のシロアリなど、半翅目（カメムシ目）のトコジラミなど、昆虫以外に蛛形綱（クモ綱）ダニ目のダニなど、真正クモ目のクモなど、甲殻綱等脚目のダンゴムシなど、唇脚綱のムカデなど、倍脚綱のヤスデなどが挙げられるが、特にこれらに限定されるものではない。
【発明の効果】
【００１３】
本発明の害虫防除用揮散性薬剤容器によれば、揮散口が、容器の真上から見た際に隠れる位置に設けられ得る構成を有しているので、揮散した薬剤成分を上方の空間中よりむしろ、床や床面などの害虫防除用揮散性薬剤容器が設置された面に沿って効率的に拡散させることができる。
例えば、揮散口が容器本体の側壁となる面に設けられ、且つ少なくとも揮散口の一部が害虫防除用揮散性薬剤容器の下半部、即ち底面からの高さ０〜５０％の範囲に設けられている場合には、簡易な構成でありながら設置面に沿って効率的に薬剤成分を拡散することができる。
これにより、匍匐害虫に対して薬剤成分を有効に作用させて匍匐害虫を効果的に防除することができる。
なお、以下本明細書中では、特に断りがない限り、「下半部」は「底面からの高さ０〜５０％の範囲」を意味するものとする。【００１４】
また、この場合において、前記揮散口の総面積の少なくとも５０％が害虫防除用揮散性薬剤容器の高さの０〜５０％の範囲に成形されていれば、特には、害虫防除用揮散性薬剤容器の底面から５ｃｍの高さ以下に揮散口の最低位置が設けられていれば、さらに有効に匍匐害虫を防除することができる。
また、揮散性薬剤が、植物精油類、或いは、植物精油類の主成分であれば、ゴキブリ、ダニなどの匍匐害虫に対して有効に作用して防除することができる。
さらに、揮散する薬剤成分の比重が空気の比重より大きくなる揮散性薬剤を用いれば、薬剤成分が空間中に広く拡散することが少なく、害虫防除用揮散性薬剤容器の設置面（床面など）に沿って拡散させることができ、匍匐害虫に対して有効に作用して防除することができる。
また、本発明に用いられる揮散性薬剤の多くは、気化した状態の比重が空気より重いものであるが、自然拡散によって上方へも徐々に拡がる。本発明の揮散性薬剤容器は、拡散性の高い薬剤や、比重が比較的軽い薬剤であっても、揮散の初期状態では設置面の低い位置に多く拡散し、使用開始直後から有効に作用しやすくしたものである。
【図面の簡単な説明】
【００１５】
【図１】本発明の第１実施形態である害虫防除用揮散性薬剤容器の正面図である。
【図２】図１に示す害虫防除用揮散性薬剤容器の蓋体の斜視図である。
【図３】図１に示す害虫防除用揮散性薬剤容器の薬剤容器の斜視図である。
【図４】図１に示す害虫防除用揮散性薬剤容器の薬剤拡散部材の斜視図である。
【図５】図１に示すＶ−Ｖ線断面図である。
【図６】本発明の第２実施形態である害虫防除用揮散性薬剤容器の正面図である。
【図７】図６に示す害虫防除用揮散性薬剤容器の蓋体の斜視図である。
【図８】図６に示す害虫防除用揮散性薬剤容器の薬剤容器の斜視図である。
【図９】図６に示す害虫防除用揮散性薬剤容器の薬剤拡散部材の斜視図である。
【図１０】図６に示す害虫防除用揮散性薬剤容器の容器ホルダの斜視図である。
【図１１】図６に示すＸＩ−ＸＩ線断面図である。
【図１２】本発明の第３実施形態である害虫防除用揮散性薬剤容器の全体斜視図である。
【図１３】図１２に示す害虫防除用揮散性薬剤容器の蓋体の斜視図である。
【図１４】図１２に示す害虫防除用揮散性薬剤容器の薬剤容器の斜視図である。
【図１５】本発明の第４実施形態である害虫防除用揮散性薬剤容器の全体斜視図である。
【図１６】図１５に示す害虫防除用揮散性薬剤容器の側面図である。
【図１７】図１５に示す害虫防除用揮散性薬剤容器の蓋体の斜視図である。
【図１８】図１５に示す害虫防除用揮散性薬剤容器の薬剤容器の斜視図である。
【図１９】本発明の第５実施形態である害虫防除用揮散性薬剤容器の全体斜視図である。
【図２０】図１９に示す害虫防除用揮散性薬剤容器の縦断面図である。
【図２１】本発明の第６実施形態である害虫防除用揮散性薬剤容器の全体斜視図である。
【図２２】図２１に示す害虫防除用揮散性薬剤容器の縦断面図である。
【図２３】本発明の第７実施形態である害虫防除用揮散性薬剤容器の全体斜視図である。
【図２４】図２３に示す害虫防除用揮散性薬剤容器の縦断面図である。
【図２５】本発明の第８実施形態である害虫防除用揮散性薬剤容器の縦断面図である。
【図２６】本発明の第９実施形態である害虫防除用揮散性薬剤容器の全体斜視図である。
【図２７】図２６に示す害虫防除用揮散性薬剤容器の縦断面図である。
【図２８】本発明の第１０実施形態である害虫防除用揮散性薬剤容器の全体斜視図である。
【図２９】図２８に示す害虫防除用揮散性薬剤容器の縦断面図である。
【図３０】本発明の第１１実施形態である害虫防除用揮散性薬剤容器の全体斜視図である。
【図３１】図３０に示す害虫防除用揮散性薬剤容器の縦断面図である。
【図３２】本発明の第１２実施形態である害虫防除用揮散性薬剤容器の全体斜視図である。
【図３３】図３２に示す害虫防除用揮散性薬剤容器の縦断面図である。
【図３４】本発明の第１３実施形態である害虫防除用揮散性薬剤容器の全体斜視図である。
【図３５】図３４に示す害虫防除用揮散性薬剤容器の縦断面図である。
【図３６】本発明の第１４実施形態である害虫防除用揮散性薬剤容器の全体斜視図である。
【図３７】図３６に示す害虫防除用揮散性薬剤容器の平面図である。
【図３８】図３６に示す害虫防除用揮散性薬剤容器の縦断面図である。
【図３９】本発明の第１５実施形態である害虫防除用揮散性薬剤容器の全体斜視図である。
【図４０】本発明の第１６実施形態である害虫防除用揮散性薬剤容器の全体斜視図である。
【図４１】図４０に示す害虫防除用揮散性薬剤容器の縦断面図である。
【図４２】忌避試験に用いた本実施例に係る害虫防除用揮散性薬剤容器の斜視図である。
【図４３】忌避試験に用いた比較例の害虫防除用揮散性薬剤容器の斜視図である。
【図４４】忌避試験装置の概念平面図である。
【図４５】忌避試験装置の概念側面図である。
【図４６】忌避試験装置の概念側面図である。
【図４７】忌避試験装置の概念平面図である。
【符号の説明】
【００１６】
１          害虫防除用揮散性薬剤容器
５          揮散性薬剤
６          側壁
７          側部窓（揮散口）
８          害虫防除用揮散性薬剤容器の底面
１４        揮散口
５０        害虫防除用揮散性薬剤容器
７０        害虫防除用揮散性薬剤容器
７３        円形穴（揮散口）
７４        側面（側壁）
７５        外壁（側壁）
８０        害虫防除用揮散性薬剤容器
８３        側面（側壁）
８４        曲側面（側壁）
８６        縦長穴（揮散口）
８７        縦長穴（揮散口）
１１０，１２０，１３０，１４０    害虫防除用揮散性薬剤容器
１１３，１２３，１３３，１４３    隙間（揮散口）
１５０，１６０，１７０，１８０    害虫防除用揮散性薬剤容器
１５３，１６３，１７３，１８３    開口（揮散口）
１９０      害虫防除用揮散性薬剤容器
１９３      開口（揮散口）
１９５      整流片
２００，２１０    害虫防除用揮散性薬剤容器
２０３      隙間（揮散口）
２０５，２１５    屋根
２２０      害虫防除用揮散性薬剤容器
２２３      開口（揮散口）
【発明を実施するための最良の形態】
【００１７】
以下、本発明に係る害虫防除用揮散性薬剤容器の各実施形態を図面に基づいて詳細に説明する。【００１８】
（第１実施形態）
図１は本発明の第１実施形態である害虫防除用揮散性薬剤容器の正面図であり、図２は図１に示す害虫防除用揮散性薬剤容器の蓋体の斜視図であり、図３は図１に示す害虫防除用揮散性薬剤容器の薬剤容器の斜視図であり、図４は図１に示す害虫防除用揮散性薬剤容器の薬剤拡散部材の斜視図であり、図５は図１に示すＶ−Ｖ線断面図である。【００１９】
図１から図５に示すように、第１実施形態の害虫防除用揮散性薬剤容器１は、蓋体２と、薬剤容器３と、薬剤拡散部材４と、揮散性薬剤５と、を備えている。揮散性薬剤５を内部に収容する薬剤容器３が、揮散した薬剤の流路を形成する薬剤拡散部材４の中心に配置され、その上方及び側方が蓋体２で覆われて、害虫防除用揮散性薬剤容器１が構成されている。第１実施形態の害虫防除用薬剤容器１において、その直径（幅）は９８ｍｍ、高さＨは６５ｍｍである。【００２０】
図２に示すように、蓋体２は、天井部１２を有して合成樹脂で略有蓋円筒状に成形されており、その側壁６には複数（図に示す実施形態においては８個）の側部窓７が円周方向に所定の間隔で離間して形成されている。側部窓７は、底面８から０〜５ｃｍの範囲の僅かな距離Ｈ１を離間して平行に形成された円弧状縁部９と、該円弧状縁部９から直角に立ち上がる垂直部１０と、円弧状縁部９と垂直部１０とを繋ぐ傾斜部１１とによって画成された略３角形の穴である。即ち、側部窓７は、揮散性薬剤５から揮散した薬剤成分を外部に放出する揮散口１４を構成することとなる。揮散口１４は、このように側部窓７によって構成されるので、容器の上方から真っ直ぐに見た場合、ほとんど隠れて見えない。【００２１】
揮散口１４を構成する側部窓７の少なくともその一部が側壁６の下半部に形成されており、そして当該下半部に揮散口１４の総面積（複数の側部窓７の合計面積）の少なくとも５０％が設けられている。さらに、揮散口１４の最低位置（本実施例では側部窓７の円弧状縁部９）は、害虫防除用揮散性薬剤容器１の底面８から０〜５ｃｍの範囲の高さに設けられている。
なお、薬剤成分を害虫防除用揮散性薬剤容器１の設置面（例えば、床面）に沿って効率的に拡散させるには、側部窓７の総面積が５〜２００ｃｍ２となるように成形されていることが望ましい。【００２２】
薬剤容器３は、図３に示すように、合成樹脂で製作された有底円筒状の容器であり、底部外周面に小径部１５を有する。また、容器内部には、断面略十字型の突起部１６が底部１７の中央から立設されている。【００２３】
図４に示すように、薬剤拡散部材４は、基部２０と、該基部２０から立設する複数の羽根部２１とを有し、合成樹脂で製作されている。基部２０は、大径円環部２２と、小径円環部２３と、大径円環部２２及び小径円環部２３の端部同士を連結する円板部２４とからなり、断面略コの字型に形成されている。それぞれの羽根部２１は、小径円環部２３側から大径円環部２２側に向かって放射円弧状に形成された薬剤誘導壁２５と、該薬剤誘導壁２５から連続して大径円環部２２より僅かに小さな半径を有する円弧状に形成された円弧状壁２６とからなり、それらの下端が円板部２４に連続されて一体に形成されている。【００２４】
次に、本実施形態の作用を説明する。
本発明の第１の実施形態である害虫防除用揮散性薬剤容器１は、図５に示すように、薬剤拡散部材４の小径円環部２３の内周面に薬剤容器３の小径部１５を嵌合させ、薬剤容器３内に揮散性薬剤５を収容する。例えば、揮散性薬剤５がゲル状薬剤、あるいは、固形状薬剤である場合、該薬剤５に形成された穴２８に断面略十字型の突起部１６を嵌合させて固定する。そして、大径円環部２２の内周面と、複数の羽根部２１の円弧状壁２６との間に、蓋体２の側壁６下部を挿入して嵌合させて、害虫防除用揮散性薬剤容器１を組み立てる。このように組み立てられた害虫防除用揮散性薬剤容器１は、床や床面などの設置面３０上に設置される。【００２５】
揮散性薬剤５から矢印Ａ方向に揮散した気体状の薬剤成分は、薬剤拡散部材４の薬剤誘導壁２５に沿って矢印Ｂ方向に流れ、揮散口１４を構成する側部窓７から外部に放出されて設置面３０を覆って拡散する。即ち、薬剤成分が害虫防除用揮散性薬剤容器１本体の上方にはいかず、その本体の側方向に揮散されることになる。
なお、本発明に用いられる揮散性薬剤５から揮散する気体状の薬剤成分の比重を、空気の比重より大きくするように調整すればよい。この場合、側部窓７から放出された薬剤成分は、設置面３０に沿って害虫防除用揮散性薬剤容器１の周りにより確実に拡がることとなる。【００２６】
このとき、揮散口１４は、害虫防除用揮散性薬剤容器１の下半部に揮散口１４の総面積（複数の側部窓７の合計面積）の少なくとも５０％が設けられて、さらに、揮散口１４の最低位置（本実施例では側部窓７の円弧状縁部９）が、害虫防除用揮散性薬剤容器１の底面８から０〜５ｃｍの範囲の高さに設けられているので、揮散した薬剤成分が効率的に設置面３０上に広がり、床や床面などを匍匐移動する匍匐害虫に効果的に作用して防除する。
また、薬剤拡散部材４が、整流手段として複数の羽根部２１を有しているので、薬剤容器３内部に収容された揮散性薬剤５の気体状の薬剤成分が四方八方に外部に導かれて（整流効果）、当該薬剤成分が設置面３０に沿って効果的に拡散される。【００２７】
次に、本発明の害虫防除用揮散性薬剤容器に係る第２実施形態から第１６実施形態について詳説する。なお、以下に説明する各実施形態の害虫防除用揮散性薬剤容器はいずれも、高さを２０ｃｍ以下、容器の横幅を２〜４０ｃｍとするものである。【００２８】
（第２実施形態）
本発明の害虫防除用揮散性薬剤容器の第２実施形態を図６から図１１を参照して説明する。
図６は本発明の第２実施形態である害虫防除用揮散性薬剤容器の正面図であり、図７は図６に示す害虫防除用揮散性薬剤容器の蓋体の斜視図であり、図８は図６に示す害虫防除用揮散性薬剤容器の薬剤容器の斜視図であり、図９は図６に示す害虫防除用揮散性薬剤容器の薬剤拡散部材の斜視図であり、図１０は図６に示す害虫防除用揮散性薬剤容器の容器ホルダの斜視図であり、図１１は図６に示すＸＩ−ＸＩ線断面図である。【００２９】
本発明の第２実施形態の害虫防除用揮散性薬剤容器５０は、蓋体５１と、薬剤容器５２と、薬剤拡散部材５３と、容器ホルダ５４と、揮散性薬剤５と、を備える。害虫防除用揮散性薬剤容器５０は、揮散性薬剤５を内部に収容する薬剤容器５２の下部が容器ホルダ５４に嵌合保持され、薬剤容器５２の周囲に薬剤拡散部材５３が配置されると共に、上方が蓋体５１で覆われて、ドーム状の外観を有する。
なお、以下に述べる各実施形態において、揮散性薬剤５は第１実施形態の揮散性薬剤５と同じであるので、その説明を省略する。【００３０】
蓋体５１は、図７に示すように、合成樹脂で略半球状に成形されており、その上面５５には渦巻き状の段差５６が設けられて装飾が施されている。薬剤容器５２は、図８に示すように、合成樹脂で製作された有底円筒状の容器であり、図３で既に説明した第１実施形態の薬剤容器３と同じであるので、同一部分には同一符号を付して説明を省略する。【００３１】
図９に示すように、薬剤拡散部材５３は、円筒状側壁５７と、基端部５８ａが円筒状側壁５７の外周面に固着され外方に向かって渦巻き状に広がる薬剤誘導壁５８とが、合成樹脂によって一体に成形されている。薬剤誘導壁５８の下端部は前記円筒状側壁５７の下端部に略等しい位置に設けられ、薬剤誘導壁５８の上端は、半径方向外方に向かうに従って次第にその高さが低くなるように形成されると共に、切欠状の係合部５９が設けられている。そして、薬剤誘導壁５８の上端に蓋体５１が載せられ、蓋体５１の係止部（図示せず）が係合部５９に係合して一体に組み付けられる。この薬剤拡散部材５３においては、隣接する薬剤誘導壁５８間の空間が揮散口１４として作用する。揮散口１４は、このように薬剤誘導壁５８間の空間によって構成されるので、容器の上方から真っ直ぐに見た場合、ほとんど隠れて見えない。【００３２】
容器ホルダ５４は、図１０に示すように、リング円盤状のベース６０と、ベース６０の内径部から上方に立ちあがる円筒状の保持部６１とが、合成樹脂で一体成型されている。保持部６１の内径は、薬剤容器５２の底部外周面に形成された小径部１５の外径と同じであり、保持部６１に該小径部１５が嵌合して薬剤容器５２が保持される。また、保持部６１の外周面には、複数の係合突起６２が設けられており、薬剤拡散部材５３の円筒状側壁５７と係合する。【００３３】
本発明の第２実施形態である害虫防除用揮散性薬剤容器５０は、図１１に示すように、容器ホルダ５４の保持部６１に薬剤容器５２の小径部１５を嵌合させて保持し、薬剤容器５２内に揮散性薬剤５を収容する。そして、薬剤拡散部材５３で薬剤容器５２の周囲を覆うように円筒状側壁５７を保持部６１に嵌合させ、保持部６１の複数の係合突起６２と図示しない薬剤拡散部材５３の係止部と係合させて固定する。さらに、薬剤拡散部材５３の薬剤誘導壁５８の上端に蓋体５１を載せて、係合部５９に蓋体５１の係止部（図示せず）を係合させて一体に組み付ける。このように組み立てられた害虫防除用揮散性薬剤容器５０は、床や床面などの設置面３０上に設置される。【００３４】
揮散性薬剤５から揮散した気体状の薬剤成分は、薬剤拡散部材５３の薬剤誘導壁５８に沿って矢印Ｅ方向に流れ、揮散口１４である隣接する薬剤誘導壁５８間の空間から外部に放出されて設置面３０を覆って拡散する。即ち、薬剤成分が害虫防除用揮散性薬剤容器５０本体の上方にはいかず、その本体の側方向に揮散されることになる。また、薬剤誘導壁５８の下端部が円筒状側壁５７の下端部に略一致するようにして薬剤拡散部材５３を構成しているため、揮散口１４の最低位置は、害虫防除用揮散性薬剤容器５０の低い位置（床面から０〜５ｃｍの範囲）に開口しているので、揮散した薬剤成分は効率的に設置面３０上に広がり、床や床面などを匍匐移動する匍匐害虫に効果的に作用して防除する。
また、薬剤拡散部材５３が、整流手段として薬剤誘導壁５８を有しているので、薬剤容器５２内部に収容された揮散性薬剤５の気体状の薬剤成分が四方八方に外部に導かれて（整流効果）、当該薬剤成分が設置面３０に沿って効果的に拡散される。【００３５】
（第３実施形態）
次に、害虫防除用揮散性薬剤容器の第３実施形態を図１２から図１４を参照して説明する。
図１２は本発明の第３実施形態である害虫防除用揮散性薬剤容器の全体斜視図であり、図１３は図１２に示す害虫防除用揮散性薬剤容器の蓋体の斜視図であり、図１４は図１２に示す害虫防除用揮散性薬剤容器の薬剤容器の斜視図である。【００３６】
図１２に示すように、第３実施形態の害虫防除用揮散性薬剤容器７０は、側面に揮散口１４である複数の円形穴７３が形成されたサイコロ状の立方体形状をなし、蓋体７１と、薬剤容器７２とから構成される。【００３７】
図１３に示すように、蓋体７１は、合成樹脂によって有蓋箱状に形成されており、その側面７４の全体には、大小多数の円形穴７３が形成されている。また、薬剤容器７２は、図１４に示すように、合成樹脂によって断面矩形の外壁７５及び内壁７８の二重壁を有する有底矩形箱状に成形されており、内壁７８より高さが低く形成された外壁７５には全体に複数の円形穴７３が形成されている。蓋体７１の円形穴７３及び薬剤容器７２の円形穴７３は協働して揮散口１４として作用する。揮散口１４は、このように側方を向いた円形穴７３によって構成されるので、容器の上方から真っ直ぐに見た場合、ほとんど隠れて見えない。【００３８】
薬剤容器７２に設けられた円形穴７３の合計面積は、蓋体７１に形成された円形穴７３の合計面積より大きく設定される。また、外壁７５の４ヶ所の角部７６の内側には、該角部７６に沿って蓋体嵌合片７７が立設されている。蓋体嵌合片７７は、蓋体７１の側面７４の角部内面と嵌合可能に形成されている。また、内壁７８の内部には、底部７９の中心に断面略十字型の突起部１６が立設されている。【００３９】
本発明の第３実施形態である害虫防除用揮散性薬剤容器７０は、図１２に示すように、薬剤容器７２の内壁７８内に揮散性薬剤５を収容し、蓋体７１を蓋体嵌合片７７に嵌合させて一体に組み立てる。このように組み立てられた害虫防除用揮散性薬剤容器７０は、床や床面などの設置面３０上に設置される。【００４０】
揮散性薬剤５から揮散した気体状の薬剤成分は、内壁７８から溢れ出して揮散口１４である複数の円形穴７３から外部に矢印Ｆ方向に放出されて設置面３０を覆って拡散する。即ち、薬剤成分が害虫防除用揮散性薬剤容器７０本体の上方にはいかず、その本体の側方向に揮散されることになる。また、最下位置に位置する揮散口１４（円形穴７３）は、害虫防除用揮散性薬剤容器７０の低い位置（床面から５ｃｍ以下）である薬剤容器７２に形成されているので、害虫防除用揮散性薬剤容器７０の下部から効率的に設置面３０上に広がり、床や床面などを匍匐移動する匍匐害虫に効果的に作用して防除する。【００４１】
（第４実施形態）
次に、害虫防除用揮散性薬剤容器の第４実施形態を図１５から図１８を参照して説明する。
図１５は本発明の第４実施形態である害虫防除用揮散性薬剤容器の全体斜視図であり、図１６は図１５に示す害虫防除用揮散性薬剤容器の側面図であり、図１７は図１５に示す害虫防除用揮散性薬剤容器の蓋体の斜視図であり、図１８は図１５に示す害虫防除用揮散性薬剤容器の薬剤容器の斜視図である。【００４２】
図１５及び図１６に示すように、第４実施形態の害虫防除用揮散性薬剤容器８０は、合成樹脂製の蓋体８１及び薬剤容器８２が組み合わされて構成されている。図１７に示すように、蓋体８１は、２つの平板が互いに直交して形成された側面８３と、該２つの平板の端部同士を円弧状に接続する曲側面８４と、天井８５とによって略三角形の有蓋箱状に形成されている。側面８３の下半部には複数の縦長穴８６が形成され、曲側面８４には、下端部近傍から上端部近傍まで開口した長尺の縦長穴８７が全面に亘って形成されている。縦長穴８６、８７は、揮散口１４として作用し、この揮散口の総面積の少なくとも５０％は害虫防除用揮散性薬剤容器８０の高さの５０％以下に設けられている。揮散口１４は、このように側方を向いた縦長穴８７によって構成されるので、容器の上方から真っ直ぐに見た場合、ほとんど隠れて見えない。本実施形態の害虫防除用揮散性薬剤容器８０は、略三角形の外観を有するので、部屋などのコーナーに設置するのに好適である。【００４３】
図１８に示すように、薬剤容器８２は、合成樹脂によって断面略三角形の外壁８８及び内壁８９の二重壁を有する有底箱状に成形されている。外壁８８の横断面は、蓋体８１の横断面と同一形状に形成されて、互いに嵌合可能である。また、内壁８９の内部には、底部の中心に断面略十字型の突起部１６が立設されている。【００４４】
本発明の第４実施形態である害虫防除用揮散性薬剤容器８０は、図１５及び図１６に示すように、薬剤容器８２の内壁８９内に揮散性薬剤５を収容し、その上方を覆うように蓋体８１を嵌合させて一体に組み立てる。このように組み立てられた害虫防除用揮散性薬剤容器８０は、床や床面などの設置面３０上に設置される。【００４５】
揮散性薬剤５から揮散した薬剤成分は、内壁８９から溢れ出して揮散口１４である複数の縦長穴８６、８７から矢印Ｇ方向に外部に放出されて設置面３０を覆って拡散する。即ち、薬剤成分が害虫防除用揮散性薬剤容器８０本体の上方にはいかず、その本体の側方向に揮散されることになる。また、揮散口１４（縦長穴８６、８７）の最低位置は、害虫防除用揮散性薬剤容器８０の低い位置（最下部が床面から０〜５ｃｍの範囲）に設けられているので、害虫防除用揮散性薬剤容器８０の下部から効率的に設置面３０上に広がり、床や床面などを匍匐移動する匍匐害虫に効果的に作用して防除する。【００４６】
（第５実施形態）
次に、害虫防除用揮散性薬剤容器の第５実施形態を図１９及び図２０を参照して説明する。
図１９は本発明の第５実施形態である害虫防除用揮散性薬剤容器の斜視図であり、図２０は図１９に示す害虫防除用揮散性薬剤容器の縦断面図である。【００４７】
図１９及び図２０に示すように、第５実施形態の害虫防除用揮散性薬剤容器１１０は、合成樹脂製の容器本体１１１及び蓋体１１２と、容器本体１１１内に収容された揮散性薬剤５と、を備える。揮散性薬剤５は、図示しない上面開放の内容器に収納された上で容器本体１１１内に設置されていてもよいし、直接、容器本体１１１内に収容されていてもよい。【００４８】
容器本体１１１は、上面開放の有底円筒体よりなり、円板状の底壁１１１ａと、その周縁から起立した円筒状の周壁１１１ｂとを有する。蓋体１１２は、下面開放の有蓋円筒体よりなり、円板状の天壁１１２ａと、その周縁から垂下された円筒状の周壁１１２ｂとを有する。蓋体１１２は、容器本体１１１よりも大径に形成されており、容器本体１１１の上面開口を覆うように、支柱１１４等により適度な間隔を保った状態で、容器本体１１１の上に被さっている。蓋体１１２の周壁１１２ｂの下端は、容器本体１１１の周壁１１１ｂの上端と同じ位置かそれよりも下側まで延びており、蓋体１１２の円筒状の周壁１１２ｂの下端と容器本体１１１の周壁１１１ｂとの間に環状の隙間１１３が確保され、この環状の隙間１１３により、下方を向いた揮散口１４が構成されている。揮散口１４は、このように下向きに構成されているので、容器の上方から見た場合、蓋体１１２に隠れて見えない位置にある。
なお、この揮散口１４は、容器本体１１１の底面から高さ５ｃｍまでの低い範囲に位置しているのがよい。また、支柱１１４は伸縮自在とし高さ調整が可能であり、例えば保管時等の未使用時には容器本体１１１の上面開口を蓋体１１２の上面で閉塞するようにしてもよい。【００４９】
この第５実施形態である害虫防除用揮散性薬剤容器１１０は、図１９及び図２０に示すように、容器本体１１１内に揮散性薬剤５を収容し、その上方を覆うように蓋体１１２を被せて一体に組み立てる。このように組み立てられた害虫防除用揮散性薬剤容器１１０は、床面などの設置面上に設置される。【００５０】
容器本体１１１内の揮散性薬剤５から揮散した薬剤成分は、矢印Ｙ１で示すように、容器本体１１１の周壁１１１ｂの上端から溢れ出して、容器本体１１１と蓋体１１２の間に確保された空間を通り、蓋体１１２の下端と容器本体１１１との間に確保された下向きの揮散口１４から外部に放出されて設置面を覆って拡散する。即ち、薬剤成分が害虫防除用揮散性薬剤容器１１０の上方にはいかず、その側方向または下方向に揮散されることになる。また、揮散口１４は、害虫防除用揮散性薬剤容器１１０の低い位置（床面から０〜５ｃｍの範囲）に開口しているので、害虫防除用揮散性薬剤容器１１０の下部から効率的に設置面上に広がり、床や床面などを匍匐移動する匍匐害虫に効果的に作用して防除する。【００５１】
（第６実施形態）
次に、害虫防除用揮散性薬剤容器の第６実施形態を図２１及び図２２を参照して説明する。
図２１は本発明の第６実施形態である害虫防除用揮散性薬剤容器の斜視図であり、図２２は図２１に示す害虫防除用揮散性薬剤容器の縦断面図である。【００５２】
図２１及び図２２に示すように、第６実施形態の害虫防除用揮散性薬剤容器１２０は、合成樹脂製の容器本体１２１及び蓋体１２２と、容器本体１２１内に収容された揮散性薬剤５と、を備える。揮散性薬剤５は、図示しない上面開放の内容器に収納された上で容器本体１２１内に設置されていてもよいし、直接、容器本体１２１内に収容されていてもよい。【００５３】
容器本体１２１は、上面開放の有底円錐台形状の箱体よりなり、円板状の底壁１２１ａと、その周縁から起立した上方に窄まった形の円錐面状の周壁１２１ｂとを有する。蓋体１２２は、下面開放の円錐状箱体よりなり、上端の頂点１２２ａから裾が拡がった円錐壁１２２ｂを有する。容器本体１２１の周壁１２１ｂと蓋体１２２の円錐壁１２２ｂの傾斜角度（母線と底面のなす角度）は、略等しく設定されている。【００５４】
蓋体１２２の円錐壁１２２ｂの下端開口径は、容器本体１２１の周壁１２１ｂの上端開口径よりも大径に形成されており、蓋体１２２は、容器本体１２１の上面開口を覆うように、支柱１２４等により適度な間隔を保った状態で、容器本体１２１の上に被さっている。蓋体１２２の円錐１２２ｂの下端は、容器本体１２１の周壁１２１ｂの上端と同じ位置かそれよりも下側まで延びており、蓋体１２２の円錐壁１２２ｂの下端と容器本体１２１の周壁１２１ｂとの間に環状の隙間１２３が確保され、この環状の隙間１２３により、下方を向いた揮散口１４が構成されている。揮散口１４は、このように下向きに構成されているので、容器の上方から真っ直ぐに見た場合、蓋体１２２で隠れて見えない位置にある。
なお、この揮散口１４は、容器本体１１１の底面から高さ５ｃｍまでの低い範囲に位置しているのがよい。【００５５】
この第６実施形態である害虫防除用揮散性薬剤容器１２０は、図２１及び図２２に示すように、容器本体１２１内に揮散性薬剤５を収容し、その上方を覆うように蓋体１２２を被せて一体に組み立てる。このように組み立てられた害虫防除用揮散性薬剤容器１２０は、床面などの設置面上に設置される。【００５６】
容器本体１２１内の揮散性薬剤５から揮散した薬剤成分は、矢印Ｙ２で示すように、容器本体１２１の周壁１２１ｂの上端から溢れ出して、容器本体１２１と蓋体１２２の間に確保された空間を通り、蓋体１２２の下端と容器本体１２１との間に確保された下向きの揮散口１４から外部に放出されて設置面を覆って拡散する。即ち、薬剤成分が害虫防除用揮散性薬剤容器１２０の上方にはいかず、その側方向または下方向に揮散されることになる。また、揮散口１４は、害虫防除用揮散性薬剤容器１２０の低い位置（床面から０〜５ｃｍの範囲）に開口しているので、害虫防除用揮散性薬剤容器１２０の下部から効率的に設置面上に広がり、床や床面などを匍匐移動する匍匐害虫に効果的に作用して防除する。【００５７】
また、図２２に示すように、蓋体１２２を支えている支柱１２４を、筒状の下支柱１２４ａに上支柱１２４ｂをスライド自在に差し込むこと等によって伸縮自在に構成し、蓋体１２２を支持する高さを調節できるようにすれば、揮散口１４の大きさや高さなどを変更することができる。また、蓋体１２２で容器本体の開口を蓋体１２２の上面で閉塞することもできる。【００５８】
（第７実施形態）
次に、害虫防除用揮散性薬剤容器の第７実施形態を図２３及び図２４を参照して説明する。
図２３は本発明の第７実施形態である害虫防除用揮散性薬剤容器の斜視図であり、図２４は図２３に示す害虫防除用揮散性薬剤容器の縦断面図である。【００５９】
図２３及び図２４に示すように、第７実施形態の害虫防除用揮散性薬剤容器１３０は、合成樹脂製の容器本体１３１及び蓋体１３２と、容器本体１３１内に収容された揮散性薬剤５と、を備える。揮散性薬剤５は、図示しない上面開放の内容器に収納された上で容器本体１３１内に設置されていてもよいし、直接、容器本体１３１内に収容されていてもよい。【００６０】
容器本体１３１は、上面開放の有底角箱体により構成され、矩形状の底壁１３１ａと、底壁１３１ａの周縁から起立した四角筒状の周壁１３１ｂと、周壁１３１ｂの上端から内側に折れ曲がった内フランジ状の縁壁１３１ｃとを有し、縁壁１３１ｃの内周縁の内側に開口が確保されている。蓋体１３２は、容器本体１３１の上面形状と同じ大きさの単純な矩形平板よりなり、容器本体１３１の上面開口を覆うように、支柱１３４等により適度な間隔を保った状態で、容器本体１３１の上に被さっている。蓋体１３２の外周縁は、容器本体１３１の縁壁１３１ｃの上方に間隔を開けて位置しており、蓋体１３２の外周縁と容器本体１３１の周壁１３１ｂの上端との間に確保された隙間１３３により、側方を向いた揮散口１４が構成されている。揮散口１４は、このように側方向きに構成されているので、容器の上方から見た場合、蓋体１３２に隠れて見えない位置にある。
なお、この揮散口１４は、容器本体１３１の底面から高さ５ｃｍまでの低い範囲に位置しているのがよい。【００６１】
この第７実施形態である害虫防除用揮散性薬剤容器１３０は、図２３及び図２４に示すように、容器本体１３１内に揮散性薬剤５を収容し、その上方を覆うように蓋体１３２を被せて一体に組み立てる。このように組み立てられた害虫防除用揮散性薬剤容器１３０は、床面などの設置面上に設置される。【００６２】
容器本体１３１内の揮散性薬剤５から揮散した薬剤成分は、矢印Ｙ３で示すように、容器本体１３１の上端から溢れ出して、容器本体１３１と蓋体１３２の間に確保された空間を通り、蓋体１３２の外周縁と容器本体１３１の上端との間に確保された横向きの揮散口１４から外部に放出されて設置面を覆って拡散する。即ち、薬剤成分が害虫防除用揮散性薬剤容器１３０の上方にはいかず、その側方向または下方向に揮散されることになる。また、揮散口１４は、害虫防除用揮散性薬剤容器１３０の低い位置（床面から０〜５ｃｍの範囲）に開口しているので、害虫防除用揮散性薬剤容器１３０の下部から効率的に設置面上に広がり、床や床面などを匍匐移動する匍匐害虫に効果的に作用して防除する。【００６３】
また、図２４に示すように、蓋体１３２を支えている支柱１３４を、第６実施形態の場合と同様に伸縮自在に構成し、蓋体１３２を支持する高さを調節できるようにすれば、揮散口１４の大きさや高さなどを変更することができる。また、蓋体１３２で容器本体１３１の開口を閉塞することもできる。【００６４】
（第８実施形態）
次に、第７実施形態の害虫防除用揮散性薬剤容器１３０の容器本体１３１の形状を、角錐台状または円錐台状に変形した第８実施形態の害虫防除用揮散性薬剤容器について図２５を参照して説明する。
図２５は本発明の第８実施形態である害虫防除用揮散性薬剤容器の縦断面図である。【００６５】
図２５に示すように、第８実施形態の害虫防除用揮散性薬剤容器１４０は、合成樹脂製の容器本体１４１及び蓋体１４２と、容器本体１４１内に収容された揮散性薬剤５と、を備える。揮散性薬剤５は、図示しない上面開放の内容器に収納された上で容器本体１４１内に設置されていてもよいし、直接、容器本体１４１内に収容されていてもよい。【００６６】
容器本体１４１は、上面開放の有底角錐台状または有底円錐台状の箱体よりなり、多角形状または円形状の底壁１４１ａと、底壁１４１ａの周縁から起立した角錐状または円錐状の周壁１４１ｂとを有する。蓋体１４２は、容器本体１４１の上面形状と相似形で、該上面形状よりも大きな単純な平板よりなり、容器本体１４１の上面開口を覆うように、支柱１４４等により適度な間隔を保った状態で、容器本体１４１の上に被さっている。そして、外周部が、容器本体１４１の周壁１４１ｂの上端の上側に庇状に張り出している。蓋体１４２の外周部は、容器本体１４１の周壁１４１ｂの上端に間隔を開けて位置しており、蓋体１４２の外周部と容器本体１４１の周壁１４１ｂの上端との間に確保された隙間１４３により、側方を向いた横向きの揮散口１４が構成されている。揮散口１４は、このように側方向きに構成されているので、容器の上方から見た場合、蓋体１４２に隠れて見えない位置にある。
なお、この揮散口１４は、容器本体１４１の底面から高さ５ｃｍまでの低い範囲に位置しているのがよい。【００６７】
この第８実施形態である害虫防除用揮散性薬剤容器１４０は、図２５に示すように、容器本体１４１内に揮散性薬剤５を収容し、その上方を覆うように蓋体１４２を被せて一体に組み立てる。このように組み立てられた害虫防除用揮散性薬剤容器１４０は、床面などの設置面上に設置される。【００６８】
容器本体１４１内の揮散性薬剤５から揮散した薬剤成分は、矢印Ｙ４で示すように、容器本体１４１の上端から溢れ出して、容器本体１４１と蓋体１４２の間に確保された空間を通り、蓋体１４２の外周部と容器本体１４１の上端との間に確保された横向きの揮散口１４から外部に放出されて設置面を覆って拡散する。即ち、薬剤成分が害虫防除用揮散性薬剤容器１４０の上方にはいかず、その側方向または下方向に揮散されることになる。また、揮散口１４は、害虫防除用揮散性薬剤容器１４０の低い位置（床面から０〜５ｃｍの範囲）に開口しているので、害虫防除用揮散性薬剤容器１４０の下部から効率的に設置面上に広がり、床や床面などを匍匐移動する匍匐害虫に効果的に作用して防除する。【００６９】
この場合も、蓋体１４２を支えている支柱１４４を、第６実施形態の場合と同様に伸縮自在に構成し、蓋体１４２を支持する高さを調節できるようにすれば、揮散口１４の大きさや高さなどを変更することができる。また、蓋体１４２で容器本体１４１の開口を閉塞することもできる。【００７０】
（第９実施形態）
次に、第９実施形態の害虫防除用揮散性薬剤容器について図２６及び図２７を参照して説明する。
図２６は本発明の第９実施形態である害虫防除用揮散性薬剤容器の斜視図であり、図２７は図２６に示す害虫防除用揮散性薬剤容器の縦断面図である。【００７１】
図２６及び図２７に示すように、第９実施形態の害虫防除用揮散性薬剤容器１５０は、合成樹脂製の容器本体１５１及び蓋体１５２と、容器本体１５１内に収容された揮散性薬剤５と、を備える。揮散性薬剤５は、図示しない上面開放の内容器に収納された上で容器本体１５１内に設置されていてもよいし、直接、容器本体１５１内に収容されていてもよい。【００７２】
容器本体１５１は、上面開放の有底円錐台状の箱体よりなり、円形状の底壁１５１ａと、底壁１５１ａの周縁から起立し上に行くほど窄まった円錐状の周壁１５１ｂとを有する。また、容器本体１５１の周壁１５１ｂの上部には、周方向に適当な間隔を開けて複数の窓部１５３が設けられており、これらの窓部１５３により揮散口１４が構成されている。窓部１５３には、必要に応じてメッシュが設けられていてもよい。また、この揮散口１４が格子状に形成されていてもよい。【００７３】
蓋体１５２は、容器本体１５１の上面形状と相似形で、該上面形状よりも大きな単純な平板よりなり、容器本体１５１の上面開口を覆うように、容器本体１５１の上面に取り付けられている。そして、蓋体１５２の外周部が、容器本体１５１の周壁１５１ｂの上端の上側に庇状に張り出している。このため、揮散口１４は、その上方に庇状に張り出している蓋体１５２に隠れることにより、容器の上方から見た場合に見えない位置にある。
なお、この揮散口１４は、容器本体１５１の底面から高さ５ｃｍまでの低い範囲に位置しているのがよい。【００７４】
この第９実施形態である害虫防除用揮散性薬剤容器１５０は、図２７に示すように、容器本体１５１内に揮散性薬剤５を収容し、その上方を覆うように蓋体１５２を被せて一体に組み立てる。このように組み立てられた害虫防除用揮散性薬剤容器１５０は、床面などの設置面上に設置される。【００７５】
容器本体１５１内の揮散性薬剤５から揮散した薬剤成分は、矢印Ｙ５で示すように、容器本体１５１の周壁１５１ｂの上部の窓部１５３（揮散口１４）から外部に放出されて設置面を覆って拡散する。即ち、薬剤成分が害虫防除用揮散性薬剤容器１５０の上方にはいかず、その側方向または下方向に揮散されることになる。また、揮散口１４は、害虫防除用揮散性薬剤容器１５０の低い位置（床面から０〜５ｃｍの範囲）に開口しているので、害虫防除用揮散性薬剤容器１５０の下部から効率的に設置面上に広がり、床や床面などを匍匐移動する匍匐害虫に効果的に作用して防除する。【００７６】
（第１０実施形態）
次に、第１０実施形態の害虫防除用揮散性薬剤容器について図２８及び図２９を参照して説明する。
図２８は本発明の第１０実施形態である害虫防除用揮散性薬剤容器の斜視図であり、図２９は図２８に示す害虫防除用揮散性薬剤容器の縦断面図である。【００７７】
図２８及び図２９に示すように、第１０実施形態の害虫防除用揮散性薬剤容器１６０は、合成樹脂製の容器本体１６１及び蓋体１６２と、容器本体１６１内に収容された揮散性薬剤５と、を備える。揮散性薬剤５は、図示しない上面開放の内容器に収納された上で容器本体１６１内に設置されていてもよいし、直接、容器本体１６１内に収容されていてもよい。【００７８】
容器本体１６１は、上面開放の有底逆円錐台状の箱体よりなり、円形状の底壁１６１ａと、底壁１６１ａの周縁から起立し上に行くほど拡径した逆円錐状の周壁１６１ｂとを有する。また、容器本体１６１の周壁１６１ｂには、周方向に適当な間隔を開けて複数の窓部１６３が設けられており、これらの窓部１６３により揮散口１４が構成されている。このように傾斜壁として構成された周壁１６１ｂに揮散口１４が設けられているので、揮散口１４は、容器の上方から真っ直ぐに見ても、隠れて見えない位置にある。なお、揮散口１４を構成する窓部１６３には、必要に応じてメッシュが設けられていてもよい。また、この揮散口１４は、容器本体１６１の底面から高さ５ｃｍまでの低い範囲に位置しているのが良い。また、蓋体１６２は、容器本体１６１の上面開口を上端を塞ぐように、容器本体１６１の周壁１６１ｂの上端に取り付けられている。【００７９】
この第１０実施形態である害虫防除用揮散性薬剤容器１６０は、図２９に示すように、容器本体１６１内に揮散性薬剤５を収容し、その上方を覆うように蓋体１６２を被せて一体に組み立てる。このように組み立てられた害虫防除用揮散性薬剤容器１６０は、床面などの設置面上に設置される。【００８０】
容器本体１６１内の揮散性薬剤５から揮散した薬剤成分は、矢印Ｙ６で示すように、容器本体１６１の周壁１６１ｂの窓部１６３（揮散口１４）から外部に放出されて設置面を覆って拡散する。即ち、薬剤成分が害虫防除用揮散性薬剤容器１６０の上方にはいかず、その側方向または下方向に揮散されることになる。また、揮散口１４は、害虫防除用揮散性薬剤容器１６０の低い位置（床面から０〜５ｃｍの範囲）に開口しているので、害虫防除用揮散性薬剤容器１６０の下部から効率的に設置面上に広がり、床や床面などを匍匐移動する匍匐害虫に効果的に作用して防除する。【００８１】
なお、本第１０実施形態の害虫防除用揮散性薬剤容器１６０では、容器本体１６１を、逆円錐形状の周壁１６１ｂを有する逆円錐台形状に形成していたが、蓋体１６２側に逆円錐形状の周壁１６１ｂを一体に設けてもよい。【００８２】
（第１１実施形態）
次に、第１１実施形態の害虫防除用揮散性薬剤容器について図３０及び図３１を参照して説明する。
図３０は本発明の第１０実施形態である害虫防除用揮散性薬剤容器の斜視図であり、図３１は図３０に示す害虫防除用揮散性薬剤容器の縦断面図である。【００８３】
図３０及び図３１に示すように、第１１実施形態の害虫防除用揮散性薬剤容器１７０は、合成樹脂製の容器本体１７１及び蓋体１７２と、容器本体１７１及び蓋体１７２内に収容された揮散性薬剤５と、を備える。揮散性薬剤５は、図示しない下面開放の内容器に収納された上で容器本体１７１及び蓋体１７２内に設置されていてもよいし、直接、容器本体１７１及び蓋体１７２内に設置されていてもよい。【００８４】
容器本体１７１は、上面が開放した円錐形状をなして下方に尖部を有して、例えば土壌等の突き刺し易く構成されており、その上に、天板１７２ａと周縁から垂下した垂下壁１７２ｂとを有した略平板状の単純な台として構成された蓋体１７２が被せられている。そして、揮散性薬剤５は、両面テープ又は別途設けられた支持手段等により蓋体１７２の天板１７２ａ上に固着されている。【００８５】
容器本体１７１の円錐壁の高さ方向の中間部には、揮散口１４を構成する複数の窓部１７３が周方向に渡って設けられている。このように、円錐形状に形成されてその尖部が下方を向く容器本体１７１の円錐壁に各揮散口１４（窓部１７３）が設けられているので、揮散口１４は、上方から見た場合に隠れている。また、この揮散口１４は、容器本体１７１が例えば土壌等に突き刺されて使用される場合には、その土壌面から高さ５ｃｍまでの低い範囲に位置しているのがよい。【００８６】
この第１１実施形態である害虫防除用揮散性薬剤容器１７０は、図３１に示すように、蓋体１７２の天板１７２ａ上に揮散性薬剤５を設置し、そして容器本体１７１の上方を覆うようにその蓋体１７２を被せて一体に組み立てる。このように組み立てられた害虫防除用揮散性薬剤容器１７０は、土壌などの設置面上に容器本体１７１の尖部を用いて設置される。【００８７】
容器本体１７１及び蓋体１７２内に設置した揮散性薬剤５から揮散した薬剤成分は、矢印Ｙ７で示すように、容器本体１７１の円錐壁の窓部１７３（揮散口１４）から外部に放出されて設置面を覆って拡散する。即ち、薬剤成分が害虫防除用揮散性薬剤容器１７０の上方にはいかず、その側方向または下方向に揮散されることになる。また、揮散口１４は、害虫防除用揮散性薬剤容器１７０の低い位置（土壌面から０〜５ｃｍの範囲）に開口しているので、害虫防除用揮散性薬剤容器１７０の下部から効率的に設置面上に広がり、土壌などを匍匐移動する匍匐害虫に効果的に作用して防除する。【００８８】
（第１２実施形態）
次に、害虫防除用揮散性薬剤容器の第１２実施形態を図３２及び図３３を参照して説明する。
図３２は本発明の第１２実施形態である害虫防除用揮散性薬剤容器の斜視図であり、図３３は図３２に示す害虫防除用揮散性薬剤容器の縦断面図である。【００８９】
図３２及び図３３に示すように、第１２実施形態の害虫防除用揮散性薬剤容器１８０は、高さのある円柱状の外観を呈するもので、合成樹脂製の容器本体１８１及び蓋体１８２と、容器本体１８１内に収容された揮散性薬剤５と、を備える。揮散性薬剤５は、図示しない上面開放の内容器に収納された上で容器本体１８１内に設置されていてもよいし、直接、容器本体１８１内に収容されていてもよい。【００９０】
容器本体１８１は、上端面が開放した略有底円筒体よりなり、円板状の底壁１８１ａと、その周縁から起立した下側円筒周壁１８１ｂと、下側円筒周壁１８１ｂの上側に連続する２つの逆向きに連なった円錐壁１８１ｃ、１８１ｄと、その更に上側に連続する上側円筒周壁１８１ｅとを有し、上側円筒周壁１８１ｅの上端が開口している。下側円筒周壁１８１ｂと上側円筒周壁１８１ｅは同径のもので、それらの中間に位置する互いに逆向きに小径部で結合された円錐壁１８１ｃ、１８１ｄの大径部が、それぞれ下側円筒周壁１８１ｂの上端及び上側円筒周壁１８１ｅの下端に連なっている。従って、容器本体１８１の周壁は、その高さ方向の中間部に逆向きに連なった２つの円錐壁１８１ｃ、１８１ｄがあることにより、全周連続したＶ溝が形成されたような外観となっている。【００９１】
そして、そのＶ溝を構成している下側の円錐壁１８１ｃ上に、周方向に適当な間隔を開けて複数の窓部１８３が開けられ、これらの窓部１８３によって揮散口１４が構成されている。このように、Ｖ溝内に揮散口１４があるので、揮散口１４は、容器の上方から見た場合、上側の円筒周壁１８１ｅに隠れて見えない。なお、この揮散口１４は、容器本体１１１の底面から高さ５ｃｍまでの低い範囲に位置しているのが良い。また、蓋体１８２は、単純に容器本体１８１の上端開口を塞ぐことのできる形状に形成されている。【００９２】
この第１２実施形態である害虫防除用揮散性薬剤容器１８０は、図３２及び図３３に示すように、容器本体１８１内に揮散性薬剤５を収容し、その上方を覆うように蓋体１８２を被せて一体に組み立てる。このように組み立てられた害虫防除用揮散性薬剤容器１８０は、床面などの設置面上に設置される。【００９３】
容器本体１８１内の揮散性薬剤５から揮散した薬剤成分は、矢印Ｙ８で示すように、容器本体１８１の周壁のＶ溝内の円錐壁１８１ｃに確保された揮散口１４から外部に放出されて設置面を覆って拡散する。即ち、薬剤成分が害虫防除用揮散性薬剤容器１８０の上方にはいかず、その側方向または下方向に揮散されることになる。また、揮散口１４は、害虫防除用揮散性薬剤容器１８０の低い位置（床面から０〜５ｃｍの範囲）に開口しているので、害虫防除用揮散性薬剤容器１８０の下部から効率的に設置面上に広がり、床や床面などを匍匐移動する匍匐害虫に効果的に作用して防除する。【００９４】
また、この実施形態の害虫防除用揮散性薬剤容器１８０の場合、高さのある円柱状の外観を呈するものとして構成されているので、中に入れる揮散性薬剤５の収納量を充分に確保することができる。【００９５】
なお、容器本体１８１や蓋体１８２は、上下方向のどの位置で分割してもよく、上記以外に、例えば、円錐壁１８１ｃ、１８１ｄの小径部の結合箇所で分割し、分割した箇所で嵌合できるようにし、その嵌合箇所の上側を蓋体と言い、下側を容器本体ということもできる。【００９６】
（第１３実施形態）
次に、害虫防除用揮散性薬剤容器の第１３実施形態を図３４及び図３５を参照して説明する。
図３４は本発明の第１３実施形態である害虫防除用揮散性薬剤容器の斜視図であり、図３５は図３４に示す害虫防除用揮散性薬剤容器の縦断面図である。【００９７】
図３４及び図３５に示すように、第１３実施形態の害虫防除用揮散性薬剤容器１９０は、合成樹脂製の下側容器本体１９１及び上側容器本体１９２と蓋体１９４と、容器本体１９１、１９２内に収容された揮散性薬剤５と、を備える。揮散性薬剤５は、図示しない上面開放の内容器に収納された上で容器本体１９１、１９２内に設置されていてもよいし、直接、容器本体１９１、１９２内に収容されていてもよい。【００９８】
下側容器本体１９１は、平面視略扇形の上面開口の箱体として構成され、扇形の底壁１９１ａと、その周縁より立ち上がる周壁１９１ｂとを有する。上側容器本体１９２は、断面扇形の筒壁１９２ａの下端前部に、僅かに下り傾斜した円錐面状の上面壁１９２ｂを連設したもので、下側容器本体１９１の上面を塞ぐように、下側容器本体１９１の上に被せられている。そして、上側容器本体１９２の筒壁１９２ａの上端開口が、蓋体１９４により塞がれている。【００９９】
また、上側容器本体１９２の上面壁１９２ｂ上には、複数の窓部１９３が揮散口１４として設けられ、各窓部１９３には整流片１９５が取り付けられている。整流片１９５は、一方（例えば整流片）の端部に設けた嵌合突起を他方（例えば容器本体）の端部に設けた嵌合溝に嵌めることにより、揮散口１４の上端部を中心として回動自在に取り付けられている。このように各揮散口１４（窓部１９３）に整流片１９５が設けられているので、揮散口１４は、上方から見た場合に整流片１９５の陰に隠れている。また、この揮散口１４は、下側容器本体１９１の底面から高さ５ｃｍまでの低い範囲に位置しているのがよい。【０１００】
この第１３実施形態である害虫防除用揮散性薬剤容器１９０は、図３５に示すように、容器本体１９１、１９２内に揮散性薬剤５を設置し、その上方を覆うように蓋体１９４を被せて一体に組み立てる。このように組み立てられた害虫防除用揮散性薬剤容器１９０は、床面などの設置面上に設置される。【０１０１】
容器本体１９１上に設置した揮散性薬剤５から揮散した薬剤成分は、矢印Ｙ９で示すように、上側容器本体１９２の円錐壁の窓部１９３（揮散口１４）から整流片１９５に誘導されながら外部に放出されて設置面を覆って拡散する。即ち、薬剤成分が害虫防除用揮散性薬剤容器１９０の上方にはいかず、その側方向または下方向に揮散されることになる。また、揮散口１４は、害虫防除用揮散性薬剤容器１９０の低い位置（床面から０〜５ｃｍの範囲）に開口しているので、害虫防除用揮散性薬剤容器１９０の下部から効率的に設置面上に広がり、床や床面などを匍匐移動する匍匐害虫に効果的に作用して防除する。また、揮散口１４が低い位置に設けられているので、害虫防除用揮散性薬剤容器１９０全体の大型化が可能になり、多くの揮散性薬剤５を収納することができる。また、整流片１９５は揮散口１４を閉塞することができるので蓋として機能することになる。【０１０２】
また、この実施形態の害虫防除用揮散性薬剤容器１９０の場合、上側容器本体１９２に高さのある筒壁１９２ａを設けたので、中に入れる揮散性薬剤５の収納量を充分に確保することができる。【０１０３】
なお、容器本体１９１、１９２や蓋体１９４は、上下方向のどの位置で分割してもよく、上記以外に、例えば、蓋体１９４を上側容器本体１９２と一体に形成して、下側容器本体１９１に組み合せられるようにし、下側容器本体１９１と上側容器本体１９２の分割箇所より上側を蓋体と言い、下側を容器本体と言ってもよい。【０１０４】
（第１４実施形態）
次に、害虫防除用揮散性薬剤容器の第１４実施形態を図３６から図３８を参照して説明する。
図３６は本発明の第１４実施形態である害虫防除用揮散性薬剤容器の斜視図であり、図３７は図３６に示す害虫防除用揮散性薬剤容器の上から見た平面図、図３８は図３６に示す害虫防除用揮散性薬剤容器の縦断面図である。【０１０５】
図３６及び図３７に示すように、第１４実施形態の害虫防除用揮散性薬剤容器２００は、合成樹脂製の容器本体２０１及び蓋体２０２と、容器本体２０１内に収容された揮散性薬剤５と、を備える。揮散性薬剤５は、図示しない上面開放の内容器に収納された上で容器本体２０１内に設置されていてもよいし、直接、容器本体２０１内に収容されていてもよい。【０１０６】
容器本体２０１は、平面視矩形の上面開口の箱体として構成され、矩形の底壁２０１ａと、その周縁より立ち上がる周壁２０１ｂとを有する。蓋体２０２は、平面視矩形の下面開口の箱体として構成され、矩形の天壁２０２ｂと、その周縁より垂下された周壁２０２ａとを有する。天壁２０２ｂの長手方向両端付近には開口２０４が形成され、その上方に間隔をおいて屋根２０５が設けられている。屋根２０５は、天壁２０２ｂにより内側の外縁で支持されている。また、屋根２０５は、開口２０４の上面を完全に覆う大きさに形成されたもので、天壁２０２ｂの上面と屋根２０５の下面との間に確保された隙間２０３により、揮散口１４が構成されている。揮散口１４は、屋根２０５と蓋体２０２の天壁２０２ｂとの間の隙間２０３によって構成されているので、上方から見た場合に屋根２０５に隠れている。また、害虫防除用揮散性薬剤容器２００の高さを５ｃｍ程度として、揮散口１４を容器本体２０１の底面からの高さが５ｃｍまでの低い位置に形成している。また、屋根２０５の角度（方向）を変えることで隙間の大きさを変え、揮散量を調整することができる。さらに、屋根２０５で揮散口１４を閉塞してもよい。【０１０７】
この第１４実施形態である害虫防除用揮散性薬剤容器２００は、図３８に示すように、容器本体２０１内に揮散性薬剤５を設置し、その上方を覆うように蓋体２０２を被せて一体に組み立てる。このように組み立てられた害虫防除用揮散性薬剤容器２００は、床面などの設置面上に設置される。【０１０８】
容器本体２０１上に設置した揮散性薬剤５から揮散した薬剤成分は、矢印Ｙ１０で示すように、屋根２０５と天壁２０２ｂとの間に確保された揮散口１４から外部に放出されて設置面を覆って拡散する。即ち、薬剤成分が害虫防除用揮散性薬剤容器２００の上方にはいかず、その側方向または下方向に揮散されることになる。また、揮散口１４は、害虫防除用揮散性薬剤容器２００の低い位置（床面から０〜５ｃｍの範囲）に開口しているので、害虫防除用揮散性薬剤容器２００の下部から効率的に設置面上に広がり、床や床面などを匍匐移動する匍匐害虫に効果的に作用して防除する。【０１０９】
（第１５実施形態）
上記第１４実施形態では、屋根２０５の大きさを開口２０４より大きく形成したが、図３９に示す第１５実施形態の害虫防除用揮散性薬剤容器２１０のように、屋根２１５と開口２１４の大きさを同じくらいに構成してもよい。この場合は、屋根２１５を蓋体２０２から切り起こして形成することも可能になり、製造コストを抑制することができる。
なお、図３９中と同一要素には同一符号を付して説明を省略する。【０１１０】
（第１６実施形態）
次に、害虫防除用揮散性薬剤容器の第１６実施形態を図４０及び図４１を参照して説明する。
図４０は本発明の第１６実施形態である害虫防除用揮散性薬剤容器の斜視図であり、図４１は図４０に示す害虫防除用揮散性薬剤容器の縦断面図である。【０１１１】
図４０及び図４１に示すように、第１６実施形態の害虫防除用揮散性薬剤容器２２０は、合成樹脂製の容器本体２２１及び蓋体２２２と、容器本体２２１内に収容された揮散性薬剤５と、を備える。揮散性薬剤５は、図示しない上面開放の内容器に収納された上で容器本体２２１内に設置されていてもよいし、直接、容器本体２２１内に収容されていてもよい。【０１１２】
容器本体２２１は、上面開口の有底円筒状の箱体として構成され、円形の底壁２２１ａと、その周縁より立ち上がる周壁２２１ｂとを有する。容器本体２２１の底部には、底壁２２１ａを設置面３０から浮かせるための脚部２２５が設けられており、脚部２２５を設置面３０に載せることにより、底壁２２１ａと設置面３０との間に隙間ができる。この底壁２２１ａには、揮散口１４としての開口２２３が設けられ、必要に応じてメッシュが設けられている。蓋体２２２は、下面開口の有蓋円筒状の箱体として構成され、円形の天壁２２２ｂとその周縁より垂下されて周壁２２１ａとを有し、容器本体２２１の上面開口を覆うように、容器本体２２１の上に被せられている。この場合、揮散口１４は、容器本体２２１の下面に位置するので、当然、上方から見た場合に隠れている。また、この揮散口１４は、容器本体２２１の底面から高さ５ｃｍまでの低い範囲に位置している。そして、メッシュに代えて、支持材に揮散性薬剤５を支持させて、揮散口１４から落下しないようにしてもよい。この場合も害虫防除用揮散性薬剤容器２２０全体を大型化でき、多くの揮散性薬剤５を収納することができる。【０１１３】
この第１６実施形態である害虫防除用揮散性薬剤容器２２０は、図４１に示すように、容器本体２２１内に揮散性薬剤５を設置し、その上方を覆うように蓋体２２２を被せて一体に組み立てる。その際、揮散性薬剤５は揮散口１４を塞がないように、例えば揮散性薬剤５の底部に脚部を設けたり、或いは揮散性薬剤５の底面に１又は複数の貫通溝を設けたり、或いは揮散性薬剤５を吊り下げ支持したりする等して容器本体２２１内に収容しさえすればよい。このように組み立てられた害虫防除用揮散性薬剤容器２２０は、床面などの設置面上に設置される。【０１１４】
容器本体２２１上に設置した揮散性薬剤５から揮散した薬剤成分は、矢印Ｙ１１で示すように、容器本体２２１の底壁２２１ａに設けた揮散口１４から下に流れ、底壁２２１ａと設置面３０との隙間を通って周囲に放出されて設置面３０を覆って拡散する。即ち、薬剤成分が害虫防除用揮散性薬剤容器２２０の上方にはいかず、その側方向に揮散されることになる。また、揮散口１４は、害虫防除用揮散性薬剤容器２２０の低い位置（床面から０〜５ｃｍの範囲）に開口しているので、害虫防除用揮散性薬剤容器２２０の下部から効率的に設置面上に広がり、床や床面などを匍匐移動する匍匐害虫に効果的に作用して防除する。
【実施例】
【０１１５】
（実施例１）
本発明の効果を確認するため、本発明の害虫防除用揮散性薬剤容器に係る実施例と、該実施例と比較する比較例を用いた匍匐害虫の忌避試験について説明する。【０１１６】
図４２は忌避試験に用いた本実施例に係る害虫防除用揮散性薬剤容器の概略斜視図、図４３は忌避試験に用いた比較例の害虫防除用揮散性薬剤容器の概略斜視図、図４４は忌避試験装置の概念平面図、図４５は忌避試験装置の概念側面図である。【０１１７】
実施例及び比較例ともに、揮散性薬剤５として、忌避剤であるローズマリー油７ｇを、厚さ８ｍｍ、表面積略１９ｃｍ２の不織布製担体に含浸させて用いた。また、図４２及び図４３に示すように、害虫防除用揮散性薬剤容器９００は、直径Ｄ１２０ｍｍ、高さＨ１００ｍｍのプラスチック製円筒形容器を用い、上記した揮散性薬剤５を該害虫防除用揮散性薬剤容器９００内の略中央（高さ約５０ｍｍ）に紐体で吊るして収容した。【０１１８】
図４２に示すように、実施例の害虫防除用揮散性薬剤容器９００には、底部からほぼ０ｃｍの位置に幅Ｗ１５ｍｍ、長さＬ７０ｍｍ、面積１０．５ｃｍ２の長方形の開口部９１０を設け揮散口１４とした。また、図４３に示すように、比較例の害虫防除用揮散性薬剤容器９２０には、天井に幅Ｗ１５ｍｍ、長さＬ７０ｍｍ、面積１０．５ｃｍ２の円弧状の開口部９３０を設け揮散口１４とした。【０１１９】
（試験条件）
図４４及び図４５に示すように、幅、長さ共に１００ｃｍ、高さ１０ｃｍのプラスチック製容器９４０を準備し、内壁に逃走防止用の炭酸カルシウムを塗布しておく。対向する両隅部に厚紙を幅８ｃｍ、長さ９ｃｍ、高さ２ｃｍの大きさに蛇腹状に折って製作した一対のシェルター９５０（９５０Ａ、９５０Ｂ）を配置すると共に、プラスチック製容器９４０の中央に餌９６０及び水９７０を入れた容器を設置した。また、一方のシェルター９５０Ａとプラスチック製容器９４０の隅との間に、上記の揮散性薬剤５が収容された実施例の害虫防除用揮散性薬剤容器９００、及び比較例の害虫防除用揮散性薬剤容器９２０を配置し、雄３０頭、雌３０頭、合計６０頭のチャバネゴキブリを入れて、２５℃の暗条件下に１４時間、放置した。なお、害虫防除用揮散性薬剤容器９００の開口部９１０、及び害虫防除用揮散性薬剤容器９２０の開口部９３０は、シェルター９５０Ａ側に開口するように設置した。また、シェルター９５０として蛇腹状厚紙を用いたのは、チャバネゴキブリが該形状のシェルター９５０に好んで集まるからである。【０１２０】
（評価方法）
チャバネゴキブリ６０頭と、害虫防除用揮散性薬剤容器９００（９２０）を入れたプラスチック製容器９４０を、２５℃の暗条件下で１４時間、放置した後、各シェルター９５０（害虫防除用揮散性薬剤容器９００（９２０）の近くに設置されたシェルター９５０Ａ、及び遠くに設置されたシェルター９５０Ｂ）に集まったチャバネゴキブリの頭数を計数して忌避率を下記の数式に従って求めて、揮散性薬剤容器９００の有効性を評価した。評価試験は、実施例の害虫防除用揮散性薬剤容器９００、及び比較例の害虫防除用揮散性薬剤容器９２０を交互に取り換えて２回ずつ、合計４回実施した。
なお、忌避率（％）＝１００×（薬剤容器から遠いシェルター９５０Ｂの頭数−近いシェルター９５０Ａの頭数）／（シェルター９５０Ａ、９５０Ｂにいた合計頭数）とする。【０１２１】
その結果を表１に示す。
なお、計数時にシェルターに集まっていなかったチャバネゴキブリの頭数は表１には記されていない。【０１２２】
【表１】
2009047978.tif 000003
【０１２３】
表１に示すように、比較例の害虫防除用揮散性薬剤容器９２０を設置した試験では、シェルター９５０Ａ、９５０Ｂに集まるチャバネゴキブリの頭数を比較したところ、顕著な忌避性が見られなかった。一方、実施例の害虫防除用揮散性薬剤容器９００を設置した試験では、害虫防除用揮散性薬剤容器９００に近いシェルター９５０Ａに居たチャバネゴキブリは２回の試験とも皆無であり、忌避率は１００％であった。これにより、本発明の有効性が実証された。【０１２４】
（実施例２）
本発明の効果を確認するため、本発明の害虫防除用揮散性薬剤容器に係る実施例を用いたダニの忌避試験について説明する。【０１２５】
この忌避試験には、第１実施形態の害虫防除用揮散性薬剤容器を用いた。試験に用いた容器は、直径９８ｍｍ、高さ６５ｍｍ、揮散口総面積５０ｃｍ２であり、底面から側部窓までの距離Ｈ１が６ｍｍの容器である。
揮散性薬剤は、植物精油類（Ｌ−メントール、ラベンダーオイル等、ダニ忌避効果をもつものを数種混合）１０重量％、ゲル化剤、界面活性剤その他を含有し、溶剤を加えて全体を１００重量％とし、ゲル化させたものを３０ｍｍ×２５ｍｍ×２５ｍｍの大きさに切り分けたものである（以下、製剤ともいう）。
ダニは、粉末飼料の培地中で飼育され、十分に増殖したダニを培地ごと取り出したものを飽和培地として、エサ用の新鮮な培地をフレッシュ培地としている。１回の試験で使用する飽和培地は、合計５００ｍｇ、フレッシュ培地は合計４００ｍｇである。【０１２６】
（試験方法）
試験方法としては、第１実施形態の害虫防除用揮散性薬剤容器１から前述の製剤の薬剤成分を揮散させ、中央にエサを置いた小空間を作り、その周囲にダニを供試し、空間内に侵入したダニ数を計測した。
試験は次のように実施した。
（１）プラスチック板Ａ（縦４００ｍｍ×横３００ｍｍ）、プラスチック容器Ｂ（縦２７６ｍｍ×横２０４ｍｍ×高さ１０１ｍｍ）、シャーレＣ（φ４５ｍｍ×高さ１５ｍｍ）２個を準備し、図４６に示すような試験装置を組み立てた。
プラスチック容器Ｂには、プラスチック片（１０ｍｍ×８ｍｍ）を貼り付けることで４カ所に足を作り、ダニの侵入する隙間（約１．５ｍｍ）１００１を作った。
（２）中央には、第１実施形態の害虫防除用揮散性薬剤容器１（本発明）を設置した。容器内には、前述の製剤を設置した。一方、コントロール（比較例）として、何も置かずに行った。
（３）図４６、図４７に示すように、ダニ飽和培地１００２を略半量ずつに分けてそれぞれをプラスチック容器Ｂの外側のシャーレＣと相対する位置に撒き、フレッシュ培地１００３を略半量ずつに分けてそれぞれをシャーレＣに撒いた。試験装置を２５℃・５０％ＲＨ・暗条件下に置き、２４時間静置した。
（４）フレッシュ培地１００３を入れたシャーレＣ内より、培地ごとダニを回収し、染色した後、ダニ数を計測した。
（５）忌避率（％）は、下記計算式により計算した。
忌避率（％）＝{１−（検体のダニ数／コントロールのダニ数）}×１００
ここで、検体のダニ数とは、害虫防除用揮散性薬剤容器１（本発明）を置いた空間のフレッシュ培地１００３の両側に寄って来たダニ数であり、コントロール（比較例）のダニ数とは、何も置いていない空間のフレッシュ培地１００３の両側に寄って来たダニ数である。【０１２７】
（試験結果）
試験は３回繰り返し行い、その結果を表２に示す。【０１２８】
【表２】
2009047978.tif 000004
【０１２９】
（結論）
表２に示すように、本発明の害虫防除用揮散性薬剤容器１を置いた空間では、ダニの忌避率は９７．７％に達した。これにより、本発明の有効性が実証された。【０１３０】
なお、本発明を詳細にまた特定の実施形態を参照して説明したが、本発明は前述した実施形態及び実施例に限定されるものではなく、適宜、変形、改良、等が可能である。【０１３１】
本出願は、２００７年１０月９日出願の日本特許出願（特願２００７−２６３２１０）、および２００７年１２月１４日出願の日本特許出願（特願２００７−３２３３５５）に基づくものであり、その内容はここに参照として取り込まれる。
【産業上の利用可能性】
【０１３２】
本発明の害虫防除用揮散性薬剤容器によれば、揮散した薬剤成分を床などの該容器を設置した面に沿って効率的に拡散させることができるので、這って行動する害虫の防除に効果的に適用できる。
【図１】
2009047978.tif 000005
【図２】
2009047978.tif 000006
【図３】
2009047978.tif 000007
【図４】
2009047978.tif 000008
【図５】
2009047978.tif 000009
【図６】
2009047978.tif 000010
【図７】
2009047978.tif 000011
【図８】
2009047978.tif 000012
【図９】
2009047978.tif 000013
【図１０】
2009047978.tif 000014
【図１１】
2009047978.tif 000015
【図１２】
2009047978.tif 000016
【図１３】
2009047978.tif 000017
【図１４】
2009047978.tif 000018
【図１５】
2009047978.tif 000019
【図１６】
2009047978.tif 000020
【図１７】
2009047978.tif 000021
【図１８】
2009047978.tif 000022
【図１９】
2009047978.tif 000023
【図２０】
2009047978.tif 000024
【図２１】
2009047978.tif 000025
【図２２】
2009047978.tif 000026
【図２３】
2009047978.tif 000027
【図２４】
2009047978.tif 000028
【図２５】
2009047978.tif 000029
【図２６】
2009047978.tif 000030
【図２７】
2009047978.tif 000031
【図２８】
2009047978.tif 000032
【図２９】
2009047978.tif 000033
【図３０】
2009047978.tif 000034
【図３１】
2009047978.tif 000035
【図３２】
2009047978.tif 000036
【図３３】
2009047978.tif 000037
【図３４】
2009047978.tif 000038
【図３５】
2009047978.tif 000039
【図３６】
2009047978.tif 000040
【図３７】
2009047978.tif 000041
【図３８】
2009047978.tif 000042
【図３９】
2009047978.tif 000043
【図４０】
2009047978.tif 000044
【図４１】
2009047978.tif 000045
【図４２】
2009047978.tif 000046
【図４３】
2009047978.tif 000047
【図４４】
2009047978.tif 000048
【図４５】
2009047978.tif 000049
【図４６】
2009047978.tif 000050
【図４７】
2009047978.tif 000051
【国際調査報告】
2009047978.tif 000052
2009047978.tif 000053
2009047978.tif 000054
2009047978.tif 000055